【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
第１の時刻において、
ソーシャル・ネットワーキング・システムが維持するコンテンツ・アイテムを前記ソーシャル・ネットワーキング・システムのユーザに提示する工程と、
前記第１の時刻に対して後の時刻において前記コンテンツ・アイテムを将来的に提示するために、前記コンテンツ・アイテムを前記ユーザに関連させて記憶する要求を前記ユーザから受け取る工程であって、前記要求は前記ユーザを識別するとともに前記コンテンツ・アイテムを識別する、要求受取工程と、
前記要求によって識別される前記コンテンツ・アイテムを、前記ユーザに関連させるとともに１以上の規則に関連させて記憶する工程であって、規則は、前記コンテンツ・アイテムが記憶済みコンテンツ・アイテムを将来的に前記ユーザに提示するのに適格であるために満たすべき１以上の基準と前記記憶済みコンテンツ・アイテムを将来的に提示するための複数のフォーマットのうちの１つのフォーマットとを指定する、コンテンツ・アイテム記憶工程と、
前記第１の時刻に対して後の時刻である第２の時刻において、
前記記憶済みコンテンツ・アイテムに関連付けられている前記１以上の規則によって指定される前記１以上の基準を満たす前記ユーザに関連付けられている１以上の属性を識別する工程と、
前記１以上の属性に基づいて、前記記憶済みコンテンツ・アイテムを前記ユーザに前記第２の時刻において提示するのに適格であると決定する、コンテンツ・アイテム決定工程と、
前記記憶済みコンテンツ・アイテムが前記ユーザに提示するのに適格であることに基づいて、前記記憶済みコンテンツ・アイテムを前記ソーシャル・ネットワーキング・システムによって維持されている複数の他のコンテンツ・アイテムとともに選択プロセスに含める工程であって、前記選択プロセスは、前記ユーザに前記第２の時刻において提示されるコンテンツ・アイテムを選択し、前記選択プロセスは、
前記第２の時刻において識別された前記ユーザに関連付けられている前記１以上の属性に基づいて、前記記憶済みコンテンツ・アイテムおよび前記複数の他のコンテンツ・アイテムの各々について前記ユーザに対する関連の度合いを決定する工程と、
決定された前記関連の度合いのセットに少なくとも部分的に基づいて、前記第２の時刻において前記ユーザに提示するためのコンテンツを前記記憶済みコンテンツ・アイテムおよび前記複数の他のコンテンツ・アイテムから選択する工程と、を備える、前記コンテンツ・アイテムを含める工程と、
前記記憶済みコンテンツが前記選択プロセスにおいて前記第２の時刻に選択されることに応答して、前記記憶済みコンテンツのうちのコンテンツを前記ユーザに提示するためのフォーマットを決定する工程と、
前記ユーザに前記記憶済みコンテンツ・アイテムのコンテンツを決定された前記フォーマットで提示する、コンテンツ提示工程と、を備える、方法。
【請求項２】
前記コンテンツ提示工程は、
前記ユーザに関連付けられている識別された前記１以上の属性によって満たされる前記１以上の基準について記述する情報とともに、前記コンテンツ・アイテムを提示する工程を備える、請求項１に記載の方法。
【請求項３】
前記コンテンツ・アイテム決定工程は、
前記ソーシャル・ネットワーキング・システムにアクセスする前記ユーザに関連付けられている現在時刻が、前記コンテンツ・アイテムに関連付けられている前記１以上の規則によって指定される１以上の基準を満たす場合、前記コンテンツ・アイテムを前記ユーザに提示するのに適格であると決定する工程を備える、請求項１に記載の方法。
【請求項４】
前記コンテンツ・アイテム決定工程は、
前記ユーザに関連付けられているロケーションが、前記コンテンツ・アイテムに関連付けられている１以上の規則によって指定される前記コンテンツ・アイテムに関連付けられているロケーションのしきい値距離内である場合、前記コンテンツ・アイテムを前記ユーザに提示するのに適格であると決定する工程を備える、請求項１に記載の方法。
【請求項５】
前記コンテンツ・アイテム決定工程は、
前記ソーシャル・ネットワーキング・システムが、前記コンテンツ・アイテムに関連付けられている１以上の規則によって指定される対話のタイプを前記コンテンツ・アイテムに関連付けられている前記ユーザから受け取った場合、前記コンテンツ・アイテムを前記ユーザに提示するのに適格であると決定する工程を備える、請求項１に記載の方法。
【請求項６】
前記コンテンツ・アイテム決定工程は、
前記ユーザに関連付けられているクライアント・デバイスと前記ソーシャル・ネットワーキング・システムとの間におけるつながりのタイプが、前記コンテンツ・アイテムに関連付けられている１以上の規則によって指定される、前記クライアント・デバイスと前記ソーシャル・ネットワーキング・システムとの間におけるつながりのタイプと合致する場合、前記コンテンツ・アイテムを前記ユーザに提示するのに適格であると決定する工程を備える、請求項１に記載の方法。
【請求項７】
前記要求受取工程は、
前記コンテンツ・アイテムが前記ユーザに提示するのに適格であるために満たすべき１以上の基準を指定する入力を前記ユーザから受け取る工程を備える、請求項１に記載の方法。
【請求項８】
前記要求受取工程は、
前記コンテンツ・アイテムを提示するための１以上のフォーマットを指定する入力を前記ユーザから受け取る工程をさらに備える、請求項１に記載の方法。
【請求項９】
前記コンテンツ・アイテム記憶工程は、
前記要求によって識別される前記コンテンツ・アイテムを、前記ユーザに関連させるとともに、受け取った前記入力により指定される前記基準のうちの１以上を指定する１以上の規則に関連させて記憶する工程を備える、請求項７に記載の方法。
【請求項１０】
前記コンテンツ提示工程は、
前記コンテンツ・アイテムおよび１以上の追加のコンテンツ・アイテムの前記ユーザに対する関連の度合いを決定する工程と、
決定した前記関連の度合いに少なくとも部分的に基づいて、前記コンテンツ・アイテムおよび前記１以上の追加のコンテンツ・アイテムから前記ユーザに提示するコンテンツを選択する工程とを備える、請求項１に記載の方法。
【請求項１１】
プロセッサにより実行されたときに、前記プロセッサに、
第１の時刻において、
ソーシャル・ネットワーキング・システムが維持するコンテンツ・アイテムを前記ソーシャル・ネットワーキング・システムのユーザに提示する工程と、
前記第１の時刻に対して後の時刻において前記コンテンツ・アイテムを将来的に提示するために、前記コンテンツ・アイテムを前記ユーザに関連させて記憶する要求を前記ユーザから受け取る工程であって、前記要求は前記ユーザと前記コンテンツ・アイテムとを識別する、要求受取工程と、
前記要求によって識別される前記コンテンツ・アイテムを、前記ユーザに関連させるとともに１以上の規則に関連させて記憶する工程であって、規則は、前記コンテンツ・アイテムが記憶済みコンテンツ・アイテムを将来的に前記ユーザに提示するのに適格であるために満たすべき１以上の基準と前記記憶済みコンテンツ・アイテムを将来的に提示するための複数のフォーマットのうちの１つのフォーマットとを指定する、コンテンツ・アイテム記憶工程と、
前記第１の時刻に対して後の時刻である第２の時刻において、
前記記憶済みコンテンツ・アイテムに関連付けられている前記１以上の規則によって指定される前記１以上の基準を満たす前記ユーザに関連付けられている１以上の属性を識別する工程と、
前記１以上の属性に基づいて、前記記憶済みコンテンツ・アイテムを前記ユーザに前記第２の時刻において提示するのに適格であると決定する、コンテンツ・アイテム決定工程と、
前記記憶済みコンテンツ・アイテムが前記ユーザに提示するのに適格であることに基づいて、前記記憶済みコンテンツ・アイテムを前記ソーシャル・ネットワーキング・システムによって維持されている複数の他のコンテンツ・アイテムとともに選択プロセスに含める工程であって、前記選択プロセスは、前記ユーザに前記第２の時刻において提示されるコンテンツ・アイテムを選択し、前記選択プロセスは、
前記第２の時刻において識別された前記ユーザに関連付けられている前記１以上の属性に基づいて、前記記憶済みコンテンツ・アイテムおよび前記複数の他のコンテンツ・アイテムの各々について前記ユーザに対する関連の度合いを決定する工程と、
決定された前記関連の度合いのセットに少なくとも部分的に基づいて、前記第２の時刻において前記ユーザに提示するためのコンテンツを前記記憶済みコンテンツ・アイテムおよび前記複数の他のコンテンツ・アイテムから選択する工程と、を備える、前記コンテンツ・アイテムを含める工程と、
前記記憶済みコンテンツが前記選択プロセスにおいて前記第２の時刻に選択されることに応答して、前記記憶済みコンテンツのうちのコンテンツを前記ユーザに提示するためのフォーマットを決定する工程と、
前記ユーザに前記記憶済みコンテンツ・アイテムのコンテンツを決定された前記フォーマットで提示する、コンテンツ提示工程と、を行わせる命令を符号化した非一時的コンピュータ可読記憶媒体を備える、コンピュータ・プログラム製品。
【請求項１２】
前記コンテンツ提示工程は、
前記ユーザに関連付けられている識別された前記１以上の属性によって満たされる前記１以上の基準について記述する情報とともに、前記コンテンツ・アイテムを提示する工程を備える、請求項１１に記載のコンピュータ・プログラム製品。
【請求項１３】
前記コンテンツ・アイテム決定工程は、
前記ソーシャル・ネットワーキング・システムにアクセスする前記ユーザに関連付けられている現在時刻が、前記コンテンツ・アイテムに関連付けられている前記１以上の規則によって指定される１以上の基準を満たす場合、前記コンテンツ・アイテムを前記ユーザに提示するのに適格であると決定する工程を備える、請求項１１に記載のコンピュータ・プログラム製品。
【請求項１４】
前記コンテンツ・アイテム決定工程は、
前記ユーザに関連付けられているロケーションが、前記コンテンツ・アイテムに関連付けられている１以上の規則によって指定される前記コンテンツ・アイテムに関連付けられているロケーションのしきい値距離内である場合、前記コンテンツ・アイテムを前記ユーザに提示するのに適格であると決定する工程を備える、請求項１１に記載のコンピュータ・プログラム製品。
【請求項１５】
前記コンテンツ・アイテム決定工程は、
前記ソーシャル・ネットワーキング・システムが、前記コンテンツ・アイテムに関連付けられている１以上の規則によって指定される対話のタイプを前記コンテンツ・アイテムに関連付けられている前記ユーザから受け取った場合、前記コンテンツ・アイテムを前記ユーザに提示するのに適格であると決定する工程を備える、請求項１１に記載のコンピュータ・プログラム製品。
【請求項１６】
前記コンテンツ・アイテム決定工程は、
前記ユーザに関連付けられているクライアント・デバイスと前記ソーシャル・ネットワーキング・システムとの間におけるつながりのタイプが、前記コンテンツ・アイテムに関連付けられている１以上の規則によって指定される、前記クライアント・デバイスと前記ソーシャル・ネットワーキング・システムとの間におけるつながりのタイプと合致する場合、前記コンテンツ・アイテムを前記ユーザに提示するのに適格であると決定する工程を備える、請求項１１に記載のコンピュータ・プログラム製品。
【請求項１７】
前記要求受取工程は、
前記コンテンツ・アイテムが前記ユーザに提示するのに適格であるために満たすべき１以上の基準を指定する入力を前記ユーザから受け取る工程を備える、請求項１１に記載のコンピュータ・プログラム製品。
【請求項１８】
前記要求受取工程は、
前記コンテンツ・アイテムを提示するための１以上のフォーマットを指定する入力を前記ユーザから受け取る工程をさらに備える、請求項１１に記載のコンピュータ・プログラム製品。